(57)【要約】      （修正有）【課題】帽子を試着した状態を模擬する帽子の試着システムを提供する。【解決手段】複数の帽子の形状に関する情報を記憶する記憶手段１１と、帽子を試着する人を撮像して、試着する人に関する画像を生成する撮像手段１２と、記憶手段が記憶している複数の帽子を表示する表示手段１３と、表示手段が表示した複数の帽子から、試着する人が選択した一の帽子を用いて、撮像手段が生成した画像に一の帽子を重ねた試着画像を生成する合成手段１４とを有する。合成手段は、記憶手段が記憶している形状に関する情報に基づいて、試着画像を生成し、表示手段は、合成手段が生成した試着画像を表示する。【選択図】図１
2017117122.tif 000002
【特許請求の範囲】
【請求項１】
帽子を試着した状態を模擬する帽子の試着システムであって、
複数の前記帽子の形状に関する情報を記憶する記憶手段と、
前記帽子を試着する人を撮像して、前記試着する人に関する画像を生成する撮像手段と、
前記記憶手段が記憶している複数の前記帽子を表示する表示手段と、
前記表示手段が表示した複数の前記帽子から、前記試着する人が選択した一の帽子を用いて、前記撮像手段が生成した前記画像に前記一の帽子を重ねた試着画像を生成する合成手段と
を有し、
前記合成手段は、前記記憶手段が記憶している前記形状に関する情報に基づいて、前記試着画像を生成し、
前記表示手段は、前記合成手段が生成した前記試着画像を表示する、
ことを特徴とする帽子の試着システム。
【請求項２】
前記撮像手段が生成した前記画像に基づいて、前記試着する人の頭部の特徴を判断する判断手段を更に有し、
前記判断手段は、前記頭部の特徴に基づいて該試着する人を分類し、分類した内容を用いて前記記憶手段が記憶している複数の前記帽子から推薦する帽子を選択し、
前記合成手段は、前記判断手段が選択した前記推薦する帽子を用いて、前記試着画像を生成する、
ことを特徴とする、請求項１に記載の帽子の試着システム。
【請求項３】
前記記憶手段は、試着するアイテムに関する情報を更に記憶し、
前記合成手段は、前記アイテムに関する情報を用いて、試着した状態を模擬した第２の試着画像を生成する、
ことを特徴とする、請求項１又は請求項２に記載の帽子の試着システム。
【請求項４】
請求項１乃至請求項３のいずれか一項に記載の帽子の試着システムと、前記帽子の試着システムと有線及び／又は無線で接続された情報端末とを含む販売を支援する販売支援システムであって、
前記情報端末は、情報を入力する入力部と情報を表示する表示部とを備え、前記入力部を用いて入力された入力情報を前記帽子の試着システムに出力し、前記帽子の試着システムからの出力情報であって少なくとも前記試着画像を前記表示部で表示する、
ことを特徴とする販売支援システム。
【請求項５】
帽子を試着した状態を模擬する帽子の試着シミュレーション方法であって、
記憶手段を用いて、複数の前記帽子の形状に関する情報を記憶する記憶ステップと、
撮像手段を用いて、前記帽子を試着する人を撮像して、前記試着する人に関する画像を生成する撮像ステップと、
表示手段を用いて、前記記憶ステップで記憶した複数の前記帽子を表示する表示ステップと、
合成手段を用いて、前記表示ステップで表示した複数の前記帽子から、前記試着する人が選択した一の帽子を用いて、前記撮像ステップで生成した前記画像に前記一の帽子を重ねた試着画像を生成する合成ステップと
を含み、
前記合成ステップは、前記記憶ステップで記憶した前記形状に関する情報に基づいて、前記試着画像を生成し、
前記表示ステップは、前記合成ステップで生成した前記試着画像を表示する、
ことを特徴とする帽子の試着シミュレーション方法。
【請求項６】
判断手段を用いて、前記撮像ステップで生成した前記画像に基づいて、前記試着する人の頭部の特徴を判断する判断ステップを更に含み、
前記判断ステップは、前記頭部の特徴に基づいて前記試着する人を分類し、分類した内容を用いて前記記憶ステップで記憶した複数の前記帽子から推薦する帽子を選択し、
前記合成ステップは、前記判断ステップが選択した前記推薦する帽子を用いて、前記試着画像を生成する、
ことを特徴とする、請求項５に記載の帽子の試着シミュレーション方法。
【請求項７】
前記記憶ステップは、試着するアイテムに関する情報を更に記憶し、
前記合成ステップは、前記アイテムに関する情報を用いて、試着した状態を模擬した第２の試着画像を生成する、
ことを特徴とする、請求項５又は請求項６に記載の帽子の試着シミュレーション方法。
【請求項８】
請求項５乃至請求項７のいずれか一項に記載の帽子の試着シミュレーション方法と、有線及び／又は無線で接続された情報端末を用いて情報の入出力を実施する販売支援ステップとを含む販売を支援する販売支援方法であって、
前記情報端末は、情報を入力する入力部と情報を表示する表示部とを備え、
前記販売支援ステップは、前記入力部を用いて入力された入力情報を前記合成手段に出力し、前記合成手段からの出力情報であって少なくとも前記試着画像を前記表示部で表示する、
ことを特徴とする販売支援方法。
【請求項９】
請求項５乃至請求項７のいずれか一項に記載の帽子の試着シミュレーション方法若しくは請求項８に記載の販売支援方法をコンピュータに実行させるためのプログラム。
【請求項１０】
請求項９に記載のプログラムを記録したコンピュータ読み取り可能な記録媒体。
【発明の詳細な説明】
【技術分野】
【０００１】
本発明は、試着した状態を模擬する帽子の試着システム及び試着シミュレーション方法に関する。また、本発明は、帽子の試着システム及び試着シミュレーション方法を用いた販売支援システム及び販売支援方法に関するものであってもよい。
【背景技術】
【０００２】
特許文献１では、顧客と服の合成画像を生成するにあたって、顧客にかける負担が少なく、かつ顧客の体形の立体的な特徴を反映させた試着画像を生成するために、インターネット上に開設されるＨＰ等において、被服の試着シミュレーションを行う場合、顧客画像の正面画像から第１の特徴点と、顧客画像の側面画像から第２の特徴点とを抽出し、試着する被服の商品画像から第３の特徴点を抽出し、第１から第３の特徴点に基づいて、顧客画像に適合するように商品画像を変形し、変形した商品画像と、顧客画像とを合成して合
成画像を生成し、合成画像を顧客端末２に送信して、試着シミュレーションを行わせる技術を開示している。
【０００３】
特許文献２では、買履歴のない消費者に対しても、より最適な商品を推薦することができるリコメンデーションシステムについて、複数の競合商品からなる商品群から一つ又は複数の商品を推薦するシステムであって、各商品の属性、及び、買いたさに影響を与える度合を示すように指数化された水準を格納した商品データベースと、各属性に対する重要度を入力させる手段と、入力された重要度を係数化する手段と、前記指数化された水準に前記係数化された重要度を乗算して重み付き指数化水準を得る手段と、消費者が欲する商品と各商品の重み付き指数化水準間の差を用いて、仮想商品と各商品との距離を算出する手段と、算出された距離が小さい順に一つ又は複数の商品を推薦商品として表示する手段と、を有する技術を開示している。
【先行技術文献】
【特許文献】
【０００４】
【特許文献１】特開２００５−２１６０９４号公報
【特許文献２】特開２００７−４１９７１号公報
【発明の概要】
【発明が解決しようとする課題】
【０００５】
しかしながら、特許文献１及び特許文献２には、複数の帽子から選択した一の帽子を用いて、帽子を試着した状態を模擬する試着画像を生成する技術に関する記載がない。また、特許文献１及び特許文献２には、試着する人の頭部の特徴を判断して、頭部の特徴に基づいて複数の帽子から推薦する帽子を選択し、選択した帽子を試着した状態を模擬する技術に関する記載がない。更に、特許文献１及び特許文献２には、帽子の試着シミュレーション方法を用いて販売を支援する販売支援方法に関する記載がない。
【０００６】
本発明は、帽子を試着した状態を模擬する帽子の試着システム、その帽子の試着システムを用いた販売支援システム、帽子の試着シミュレーション方法、又は、その帽子の試着シミュレーション方法を用いて販売を支援する販売支援方法を提供することを目的とする。
【課題を解決するための手段】
【０００７】
上記課題を解決するために、本発明の一つの実施形態は、帽子を試着した状態を模擬する帽子の試着システムであって、複数の前記帽子の形状に関する情報を記憶する記憶手段と、前記帽子を試着する人を撮像して、前記試着する人に関する画像を生成する撮像手段と、前記記憶手段が記憶している複数の前記帽子を表示する表示手段と、前記表示手段が表示した複数の前記帽子から、前記試着する人が選択した一の帽子を用いて、前記撮像手段が生成した前記画像に前記一の帽子を重ねた試着画像を生成する合成手段とを有し、前記合成手段は、前記記憶手段が記憶している前記形状に関する情報に基づいて、前記試着画像を生成し、前記表示手段は、前記合成手段が生成した前記試着画像を表示する、ことを特徴とする帽子の試着システムを提供する。また、前記撮像手段が生成した前記画像に基づいて、前記試着する人の頭部の特徴を判断する判断手段を更に有し、前記判断手段は、前記頭部の特徴に基づいて該試着する人を分類し、分類した内容を用いて前記記憶手段が記憶している複数の前記帽子から推薦する帽子を選択し、前記合成手段は、前記判断手段が選択した前記推薦する帽子を用いて、前記試着画像を生成する、ことを特徴とする帽子の試着システムであってもよい。また、前記記憶手段は、試着するアイテムに関する情報を更に記憶し、前記合成手段は、前記アイテムに関する情報を用いて、試着した状態を模擬した第２の試着画像を生成する、ことを特徴とする帽子の試着システムであってもよい。
【０００８】
本発明の他の実施形態は、上記のいずれか一つの帽子の試着システムと、前記帽子の試着システムと有線及び／又は無線で接続された情報端末とを含む販売を支援する販売支援システムであって、前記情報端末は、情報を入力する入力部と情報を表示する表示部とを備え、前記入力部を用いて入力された入力情報を前記帽子の試着システムに出力し、前記帽子の試着システムからの出力情報であって少なくとも前記試着画像を前記表示部で表示する、ことを特徴とする販売支援システムを提供する。
【０００９】
本発明の他の実施形態は、帽子を試着した状態を模擬する帽子の試着シミュレーション方法であって、記憶手段を用いて、複数の前記帽子の形状に関する情報を記憶する記憶ステップと、撮像手段を用いて、前記帽子を試着する人を撮像して、前記試着する人に関する画像を生成する撮像ステップと、表示手段を用いて、前記記憶ステップで記憶した複数の前記帽子を表示する表示ステップと、合成手段を用いて、前記表示ステップで表示した複数の前記帽子から、前記試着する人が選択した一の帽子を用いて、前記撮像ステップで生成した前記画像に前記一の帽子を重ねた試着画像を生成する合成ステップとを含み、前記合成ステップは、前記記憶ステップで記憶した前記形状に関する情報に基づいて、前記試着画像を生成し、前記表示ステップは、前記合成ステップで生成した前記試着画像を表示する、ことを特徴とする帽子の試着シミュレーション方法を提供する。また、判断手段を用いて、前記撮像ステップで生成した前記画像に基づいて、前記試着する人の頭部の特徴を判断する判断ステップを更に含み、前記判断ステップは、前記頭部の特徴に基づいて前記試着する人を分類し、分類した内容を用いて前記記憶ステップで記憶した複数の前記帽子から推薦する帽子を選択し、前記合成ステップは、前記判断ステップが選択した前記推薦する帽子を用いて、前記試着画像を生成する、ことを特徴とする帽子の試着シミュレーション方法であってもよい。また、前記記憶ステップは、試着するアイテムに関する情報を更に記憶し、前記合成ステップは、前記アイテムに関する情報を用いて、試着した状態を模擬した第２の試着画像を生成する、ことを特徴とする帽子の試着シミュレーション方法であってもよい。
【００１０】
また、上記のいずれか一つの帽子の試着シミュレーション方法と、有線及び／又は無線で接続された情報端末を用いて情報の入出力を実施する販売支援ステップとを含む販売を支援する販売支援方法であって、前記情報端末は、情報を入力する入力部と情報を表示する表示部とを備え、前記販売支援ステップは、前記入力部を用いて入力された入力情報を前記合成手段に出力し、前記合成手段からの出力情報であって少なくとも前記試着画像を前記表示部で表示する、ことを特徴とする販売支援方法であってもよい。
【００１１】
また、上記の帽子の試着シミュレーション方法又は上記の販売支援方法のいずれかをコンピュータに実行させるためのプログラムであってもよい。また、前記プログラムを記録したコンピュータ読み取り可能な記録媒体であってもよい。
【発明の効果】
【００１２】
本発明に係る帽子の試着システム、販売支援システム、帽子の試着シミュレーション方法又は販売支援方法によれば、複数の帽子から選択した一の帽子を用いて、帽子を試着した状態を模擬することができる。また、本発明に係る販売支援システム又は販売支援方法によれば、試着させる人に対応した試着画像を用いて、販売を支援することができる。
【図面の簡単な説明】
【００１３】
【図１】本発明の実施形態に係る帽子の試着システム及び販売支援システムの一例を示す概略構成図である。
【図２】本発明の実施形態に係る帽子の試着システムの動作の一例を説明するフローチャート図である。
【図３】本発明の実施形態に係る帽子の試着システムの表示手段が表示する複数の帽子の一例を説明する説明図である。
【図４】本発明の実施形態に係る帽子の試着システムの合成手段が合成する試着画像の一例を説明する説明図である。
【図５】本発明の実施形態に係る帽子の試着システムの判断手段が判断した頭部の特徴の例を説明する説明図である。
【図６】本発明の実施形態に係る販売支援システムの一例を示す概略システム図である。
【図７】本発明の実施形態に係る販売支援システムの動作の一例を説明するフローチャート図である。
【図８】本発明の実施形態に係る販売支援システムの情報端末の表示部の例（ネットショップ）を説明する説明図である。
【図９】本発明の実施形態に係る販売支援システムの情報端末の表示部の例（試着画像）を説明する説明図である。
【発明を実施するための形態】
【００１４】
試着した状態を模擬する実施形態に係る帽子の試着システムの例を用いて、本発明を説明する。なお、本発明は、以後に説明する帽子の試着システム以外でも、試着する人又はものの形状に対応した試着した状態を模擬する（データ、電子データ、電子情報などを生成する）もの（装置、機械、部品、システム、アプリケーションなど）であれば、いずれのものにも用いることができる。また、本発明は、例えば双方向にデータ通信することができる情報端末（携帯電話、スマートフォン、タブレット、パソコンなど）で試着した状態を模擬したデータを利用して、試着品を販売する販売支援システムに利用してもよい。
【００１５】
下記に示す順序で、本発明を説明する。
１．帽子の試着システムの構成
２．帽子の試着システムの動作
３．試着シミュレーション方法のプログラム及び記録媒体
４．販売支援システムの構成
５．販売支援システムの動作
６．販売支援方法のプログラム及び記録媒体
【００１６】
（１．帽子の試着システムの構成）
図１乃至図５を用いて、本発明の実施形態に係る帽子の試着システムの構成を説明する。ここで、図１は、本発明の実施形態に係る帽子の試着システムの一例を示す概略構成図である。図２は、本発明の実施形態に係る帽子の試着システムの動作の一例を説明するフローチャート図である。図３は、本発明の実施形態に係る帽子の試着システムの表示手段が表示する複数の帽子の一例を説明する説明図である。図４は、本発明の実施形態に係る帽子の試着システムの合成手段が合成する試着画像の一例を説明する説明図である。図５は、本発明の実施形態に係る帽子の試着システムの判断手段が判断した頭部の特徴の例を説明する説明図である。なお、図１等に示す帽子の試着システムの構成等は一例であり、本発明は図１等に示す帽子の試着システムに限定されるものではない。
【００１７】
図１に示すように、帽子の試着システム１００は、帽子の試着システム１００の全体の動作を制御する制御手段１０と、複数の帽子の「形状に関する情報」を記憶する記憶手段１１と、試着する人に関する画像（以下、「試着前画像」という。）を生成する撮像手段１２と、記憶手段１１が記憶している複数の帽子を表示する表示手段１３と、試着する人が選択した一の帽子を用いて試着した状態を模擬した画像（以下、「試着画像」という。）を生成する合成手段１４と、を有する。また、帽子の試着システム１００は、本実施形態では、試着する人の特徴（例えば頭部の特徴）を判断する判断手段１５を更に有する。
【００１８】
本発明に係る帽子の試着システム１００は、帽子を試着した状態を模擬するもの（装置、システム、アプリケーションなど）である。帽子の試着システム１００は、本実施形態では、撮像手段１２を用いて試着する人を撮像し、記憶手段１１が記憶している形状に関する情報に基づいて、合成手段を１４用いて所望の試着画像を生成し、表示手段１３を用いて試着画像を表示する。また、帽子の試着システム１００は、本実施形態では、判断手段１５を用いて試着する人を分類し、分類した内容に基づいて推薦する帽子を選択し、合成手段１４を用いて選択した推薦する帽子を用いて試着画像を生成し、表示手段１３を用いて試着画像を表示する。
【００１９】
以下に、各構成を具体的に説明する。
【００２０】
制御手段１０は、帽子の試着システム１００の各構成に動作を指示し、帽子の試着システム１００の動作を制御する手段である。制御手段１０は、例えばＣＰＵ及びメモリで構成される演算装置を用いることができる。また、制御手段１０は、帽子の試着システム１００に予め搭載されている演算装置、コントローラ又はその他制御手段を利用する構成であってもよい。
【００２１】
制御手段１０は、本実施形態では、帽子の試着システム１００外部から入力される情報（以下、「入力情報」という。）を入力する動作と、帽子の試着システム１００外部に出力される試着した状態に関する情報（以下、「出力情報」という。）を出力する動作とを制御する。
【００２２】
記憶手段１１は、試着した状態を模擬するために必要な情報を記憶する手段である。記憶手段１１は、電子情報をデータベースとして記憶する公知の技術（ハードディスク、メモリなど）を用いることができる。なお、記憶手段１１は、試着した状態を模擬するために必要な情報以外の情報も記憶する構成であってもよい。
【００２３】
記憶手段１１は、本実施形態では、複数の帽子の形状に関する情報および試着するアイテムに関する情報を記憶する。また、記憶手段１１は、撮像手段１２が撮像した撮像結果（例えば試着前画像）、表示手段１３が表示した表示内容、合成手段１４が合成した合成結果（例えば試着画像）および判断手段１５が判断した判断結果を記憶する。ここで、形状に関する情報、試着するアイテムに関する情報、試着前画像および試着画像とは、文字データ、画像データ、動画データ、又は、その他電子的に送受信可能な情報である。また、形状に関する情報および試着するアイテムに関する情報は、アイテムの種類、試着対象、価格などに対応付けて記憶してもよい。なお、記憶手段１１は、試着に用いるアイテム等を予め記憶している外部のデータベースなどを利用する構成であってもよい。
【００２４】
撮像手段１２は、試着前画像を生成する手段である。撮像手段１２は、本実施形態では、帽子を試着する人を撮像して、試着前画像（試着する人に関する画像）を生成する。ここで、試着前画像とは、例えば図４（ａ）に示すように、人の状態を示す画像データである。また、撮像手段１２は、試着前画像として、試着する人の顔部分（上半身含む）の画像や正面の画像、３６０度のパノラマ画像であってもよい。撮像手段１２は、例えばカメラ、デジタルカメラ、ビデオカメラ及びその他静止画若しくは動画を記録することができる装置を用いることができる。なお、撮像手段１２は、携帯電話やスマートフォンのカメラ機能を利用するものであってもよい。
【００２５】
図４（ａ）に、撮像手段１２が撮像した試着前画像の一例を示す。なお、図４（ａ）に示す例は一例であり、撮像する対象は女性、男性、子供、シニア又はその他試着する対象であってもよい。
【００２６】
表示手段１３は、記憶手段１１が記憶している複数の帽子を表示する手段である。また、表示手段１３は、合成手段１４が生成した試着画像を表示する手段である。表示手段１３は、例えば液晶画面、有機ＥＬ及びその他静止画若しくは動画を表示することができる装置を用いることができる。なお、表示手段１３は、携帯電話やスマートフォンの表示機能を利用するものであってもよい。
【００２７】
図３（ａ）乃至（ｄ）に、表示手段１３が表示する複数の帽子の一例を示す。なお、図３（ａ）乃至（ｄ）に示す例は一例であり、表示する複数の帽子は特に限定されない。
【００２８】
合成手段１４は、試着画像を生成する手段である。合成手段１４は、本実施形態では、試着する人が選択した一の帽子を用いて試着した状態を模擬した試着画像（例えば帽子を着用したイメージ画像）を生成する。これにより、本発明に係る帽子の試着システム１１０は、システムの利用者の求めに応じて、試着する人にそれぞれ対応する試着画像を生成し、試着した状態を模擬することができる。ここで、試着画像とは、例えば図４（ｂ）に示すように、人の状態を示す画像データである。合成手段１４は、例えばＣＰＵ及びメモリで構成される演算装置を用いることができる。なお、合成手段１４は、制御手段１０の演算装置を利用する構成であってもよい。
【００２９】
図４（ｂ）に、合成手段１４が生成した試着画像の一例を示す。なお、図４（ｂ）に示す例は一例であり、生成する試着画像は特に限定されない。図４（ｂ）に示すように、合成手段１４は、撮像手段が生成した試着前画像（図４（ａ））に、記憶手段１１が記憶している形状に関する情報に基づいて、表示手段１３が表示した複数の帽子から試着する人が選択した一の帽子を重ねることで、所望の試着画像を生成することができる。なお、合成手段１４が試着画像を生成する画像処理方法は、画像データの縦横比の変更、台形補正またはその他の公知の技術を用いることができる。また、合成手段１４（帽子の試着システム１００）は、帽子の試着システム１００外部から入力された入力情報（例えば試着する人の趣味や趣向など）を更に用いて、試着画像を生成してもよい。
【００３０】
また、本発明に係る合成手段１４は、記憶手段１１が記憶している試着するアイテムに関する情報を用いて、試着した状態を模擬した第２の試着画像を生成することができる。ここで、第２の試着画像とは、例えば帽子以外を更に試着した人の状態を示す画像データである。
【００３１】
判断手段１５は、撮像手段１２が生成した試着前画像に基づいて、試着する人の特徴（例えば頭部の特徴）を判断する手段である。また、判断手段１５は、本実施形態では  試着する人の特徴（例えば頭部の特徴）に基づいて試着する人を分類し、分類した内容を用いて記憶手段１１が記憶している複数の帽子から推薦する帽子を選択する。ここで、判断手段１５は、人の特徴として、頭部の形状、肌の色、顔の特徴などを判断してもよい。判断手段１５は、例えばＣＰＵ及びメモリで構成される演算装置を用いることができる。なお、判断手段１５は、制御手段１０または合成手段１４の演算装置を利用する構成であってもよい。
【００３２】
図５に、判断手段１５が判断した頭部の特徴の一例を示す。なお、図５に示す例は一例であり、判断手段１５が判断する試着する人の特徴は図５に限定されるものではない。図５に示すように、判断手段１５は、撮像手段１２が生成した試着前画像の試着する人の輪郭の形状に基づいて、試着する人の頭部の特徴をＦ１乃至Ｆ８に分類する。また、判断手段１５は、分類した内容（例えばＦ１乃至Ｆ８）に対応する帽子を、記憶手段１１が記憶している複数の帽子から選択する。ここで、Ｆ１乃至Ｆ８に対応する帽子は、設計、実験又は計算で予め定められる規定に基づいて、記憶手段１１が記憶している複数の帽子を予め設定することができる。なお、判断手段１５が推薦する帽子を選択する方法は、その他の公知の技術を用いることができる。また、判断手段１５は、帽子の試着システム１００外部から入力された入力情報（例えば試着する人の趣味や趣向など）を更に用いて、推薦する帽子を選択してもよい。
【００３３】
以上のとおり、本発明に係る帽子の試着システム１００は、複数の帽子から選択した一の帽子を用いて試着画像を生成し、帽子を試着した状態を模擬することができる。また、本発明に係る帽子の試着システム１００は、試着する人の特徴（例えば頭部の特徴）を判断し、判断した特徴に基づいて複数の帽子から推薦する帽子を選択し、選択した帽子を試着した状態を模擬することができる。
【００３４】
（２．帽子の試着システムの動作）
図２を用いて、帽子の試着システム１００（図１）が試着を模擬する動作（帽子の試着シミュレーション方法）を説明する。ここで、図２は、本発明の実施形態に係る帽子の試着システム１００の動作の例を説明するフローチャート図である。なお、図２に示す帽子の試着システムの動作は一例であり、本発明は図２に示す帽子の試着システムの動作に限定されるものではない。
【００３５】
図２に示すように、帽子の試着システム１００は、ステップＳ２０１において、先ず、制御手段１０（図１）を用いて、試着を模擬する動作を開始する。制御手段１０は、例えば帽子の試着システム１００の外部から入力された情報に応じて、試着を模擬する動作を開始することができる。また、制御手段１０は、試着する人又はその他試着に関する入力情報を入力される（制御ステップ）。その後、帽子の試着システム１００は、ステップＳ２０２に進む。
【００３６】
次に、ステップＳ２０２において、帽子の試着システム１００は、記憶手段１１（図１）を用いて、複数の帽子の形状に関する情報および試着するアイテムに関する情報に関する情報等を記憶する（記憶ステップ）。なお、記憶手段１１は、形状に関する情報等を予め記憶している外部のデータベースなどを利用する構成であってもよい。その後、帽子の試着システム１００は、ステップＳ２０３に進む。
【００３７】
次いで、ステップＳ２０３において、帽子の試着システム１００は、撮像手段１２（図１）を用いて撮像された試着前画像（例えば図４（ａ））を生成する（撮像ステップ）。ここで、撮像手段１２は、試着前画像として、少なくとも試着する人に関する画像を生成する。その後、帽子の試着システム１００は、ステップＳ２０４に進む。
【００３８】
ステップＳ２０４において、また、帽子の試着システム１００は、制御手段１０を用いて、帽子を推薦するか否かを判断する。制御手段１０は、例えば帽子の試着システム１００の外部から入力された情報に基づいて、試着する人の特徴を判断するか否かを判断することができる。これにより、帽子の試着システム１００は、システムの利用者が帽子を選択するか、または、帽子を推薦するかを選択することができる。その後、システムの利用者が帽子を選択すると判断した場合には、帽子の試着システム１００は、ステップＳ２０５に進む。
【００３９】
ステップＳ２０５において、帽子の試着システム１００は、表示手段１３（図１）を用いて、ステップＳ２０２（記憶ステップ）で記憶した複数の帽子（例えば図３）を表示する（表示ステップ）。また、制御手段１０は、システムの利用者（試着する人）が表示手段１３が表示した複数の帽子から選択した一の帽子を特定する。ここで、表示手段１３は、例えば帽子の試着システム１００の外部から入力された情報（システムの利用者の趣味・趣向に関する情報）に基づいて、表示する複数の帽子を選択し、選択した複数の帽子を表示してもよい。その後、帽子の試着システム１００は、ステップＳ２０６に進む。
【００４０】
ステップＳ２０６において、帽子の試着システム１００は、合成手段１４（図１）を用いて、試着画像（例えば図４（ｂ））を生成する（合成ステップ）。ここで、合成手段１４は、ステップＳ２０５で特定された一の帽子を用いて、記憶手段１１に記憶された帽子の形状に関する情報の画像データの例えば縦横比を変更、台形補正などして、ステップＳ２０３で生成された試着前画像に重畳し、試着画像を生成することができる。その後、帽子の試着システム１００は、ステップＳ２０７に進む。
【００４１】
ステップＳ２０７において、帽子の試着システム１００は、表示手段１３を用いて、ステップＳ２０６で生成された試着画像（出力情報）を表示（出力）する（表示ステップ）。ここで、帽子の試着システム１００は、記憶手段１１を用いて、ステップＳ２０６で生成した試着画像を記憶してもよい。また、本発明に係る帽子の試着システム１００は、帽子以外の衣料品のコーディネートの提案（試着画像）を更に表示してもよい。その後、帽子の試着システム１００は、ステップＳ２０８に進む。
【００４２】
ステップＳ２０８において、帽子の試着システム１００は、制御手段１０を用いて、試着を模擬する動作を繰り返すか否かを判断する。制御手段１０は、例えば帽子の試着システム１００の外部から入力された情報に基づいて、試着を模擬する動作を繰り返すか否かを判断することができる。これにより、帽子の試着システム１００は、所望の間、試着を模擬する動作を繰り返すことができる。その後、試着を模擬する動作を繰り返すと判断した場合には、帽子の試着システム１００は、ステップＳ２０３に戻る。試着を模擬する動作を終了すると判断した場合には、帽子の試着システム１００は、図中の「ＥＮＤ」に進み、動作を終了する。
【００４３】
一方、ステップＳ２０９において、帽子の試着システム１００は、判断手段１５（図１）を用いて、ステップＳ２０３（撮像ステップ）で生成した試着前画像に基づいて、試着する人の特徴を判断する（判断ステップ）。具体的には、判断手段１５は、撮像手段１２が生成した試着前画像の試着する人の輪郭の形状に基づいて、試着する人の頭部の特徴をＦ１乃至Ｆ８（図５）に分類する。また、判断手段１５は、分類した内容（例えばＦ１乃至Ｆ８）に対応する帽子（推薦する帽子）を、記憶手段１１が記憶している複数の帽子から選択する。その後、帽子の試着システム１００は、ステップＳ２１０に進む。
【００４４】
ステップＳ２１０において、帽子の試着システム１００は、合成手段１４（図１）を用いて、第２の試着画像を生成する（合成ステップ）。ここで、合成手段１４は、ステップＳ２０９で選択された帽子（推薦する帽子）を用いて、記憶手段１１に記憶された帽子の形状に関する情報の画像データの例えば縦横比を変更、台形補正などして、ステップＳ２０３で生成された試着前画像に重畳し、第2の試着画像を生成することができる。その後、帽子の試着システム１００は、ステップＳ２０７に進む。
【００４５】
以上のとおり、本発明に係る帽子の試着システム１００が試着を模擬する動作（帽子の試着シミュレーション方法）によれば、複数の帽子から選択した一の帽子を用いて試着画像を生成し、帽子を試着した状態を模擬することができる。また、本発明に係る試着システム１００が試着を模擬する動作（帽子の試着シミュレーション方法）によれば、試着する人の特徴（例えば頭部の特徴）を判断し、判断した特徴に基づいて複数の帽子から推薦する帽子を選択し、選択した帽子を試着した状態を模擬することができる。
【００４６】
なお、利用者（購入者）は、本発明に係る帽子の試着システム１００が試着を模擬する動作（帽子の試着シミュレーション方法）を利用することによって、例えば試着した（帽子をかぶった）イメージを試着画像で確認することができ、自身の顔型に対する帽子の提案も参考にすることができ、異なる種類の複数の帽子を容易に試着できる。また、利用者（購入者）は、本発明に係る帽子の試着システム１００が試着を模擬する動作（帽子の試着シミュレーション方法）を利用することによって、帽子にまつわる衣料品のコーディネートの提案を受けることができる。
【００４７】
（３．試着シミュレーション方法のプログラム及び記録媒体）
本発明に係る試着シミュレーション方法のプログラムＰｒ１は、前述の実施形態に係る    試着シミュレーション１００を用いた帽子を試着した状態を模擬する帽子の試着シミュレーション方法であって、記憶手段を用いて、複数の前記帽子の形状に関する情報を記憶する記憶ステップと、撮像手段を用いて、前記帽子を試着する人を撮像して、前記試着する人に関する画像を生成する撮像ステップと、表示手段を用いて、前記記憶ステップで記憶した複数の前記帽子を表示する表示ステップと、合成手段を用いて、前記表示ステップで表示した複数の前記帽子から、前記試着する人が選択した一の帽子を用いて、前記撮像ステップで生成した前記画像に前記一の帽子を重ねた試着画像を生成する合成ステップとを含み、前記合成ステップは、前記記憶ステップで記憶した前記形状に関する情報に基づいて、前記試着画像を生成し、前記表示ステップは、前記合成ステップで生成した前記試着画像を表示する、ことを特徴とする帽子の試着シミュレーション方法を実行する。また、本発明に係る試着シミュレーション方法のプログラムＰｒ１は、判断手段を用いて、前記撮像ステップで生成した前記画像に基づいて、前記試着する人の頭部の特徴を判断する判断ステップを更に含み、前記判断ステップは、前記頭部の特徴に基づいて前記試着する人を分類し、分類した内容を用いて前記記憶ステップで記憶した複数の前記帽子から推薦する帽子を選択し、前記合成ステップは、前記判断ステップが選択した前記推薦する帽子を用いて、前記試着画像を生成する、ことを特徴とする帽子の試着シミュレーション方法を実行してもよい。また、本発明に係る試着シミュレーション方法のプログラムＰｒ１は、前記記憶ステップは、試着するアイテムに関する情報を更に記憶し、前記合成ステップは、前記アイテムに関する情報を用いて、試着した状態を模擬した第２の試着画像を生成する、ことを特徴とする帽子の試着シミュレーション方法を実行してもよい。
【００４８】
上記のプログラムＰｒ１によれば、本発明に係る帽子の試着システム１００（前述）と同等の効果が得られる。
【００４９】
また、本発明は、プログラムＰｒ１を記録したコンピュータによって読み取り可能な記録媒体Ｍｄ１としてもよい。記録媒体Ｍｄ１には、フレキシブルディスク、ＣＤ−ＲＯＭ、ＤＶＤ、及び、メモリーカード等、コンピュータ読み取り可能な媒体を利用することができる。更に、本発明は、プログラムＰｒ１をインターネット等のネットワークを介して送信することが可能な伝送可能媒体であってもよい。
【００５０】
（４．販売支援システムの構成）
実施形態に係る帽子の試着システム１００を含む販売支援システム２００を用いて、本発明を説明する。なお、本発明は、以後に説明する販売支援システム以外でも、試着した状態を模擬するものであれば、いずれのものにも用いることができる。なお、以後の説明では、前述の実施形態に係る帽子の試着システム１００と異なる部分を主に説明する。
【００５１】
図１及び図６を用いて、本発明の実施形態に係る販売支援システム２００の構成を説明する。ここで、図１は、本発明の実施形態に係る販売支援システムの一例を示す概略構成図である。図６は、本発明の実施形態に係る販売支援システムの一例を示す概略システム図である。なお、図１等に示す販売支援システムの構成は一例であり、本発明は図１等に示す販売支援システムに限定されるものではない。
【００５２】
図１に示すように、本発明に係る販売支援システム２００は、前述の帽子の試着システム１００と、帽子の試着システム１００と有線及び／又は無線で接続された情報端末２０とを含む。
【００５３】
情報端末２０は、システム利用者（販売者、購入者など）が情報を入力する入力部２１と、システム利用者に情報を表示する表示部２２とを備える。なお、情報端末２０は、通信装置（ＬＡＮ、無線ＬＡＮ、インターネットなど）を介して、帽子の試着システム１００と情報の入出力を行うものであってもよい。また、情報端末２０は、例えばタブレット、スマートフォン、携帯端末、ノートＰＣ、メガネ型端末、腕時計型端末、コンタクトレンズ型端末、投影型端末などであってもよい。入力部２１は、情報端末（タブレットなど）に予め搭載されている機能（キーボード、タッチパネルなど）を利用する構成であってもよい。表示部２２は、情報端末（タブレットなど）に予め搭載されている機能（液晶、有機ＥＬ、タッチパネルなど）を利用する構成であってもよい。
【００５４】
本発明に係る販売支援システム２００は、試着を模擬することによって、販売を支援するシステムである。販売支援システム２００は、入力部２１（情報端末２０）を用いて、入力情報を入力される。また、販売支援システム２００は、表示部２２（情報端末２０）を用いて、帽子の試着システム１００からの出力情報（試着画像など）を表示する。
【００５５】
図６に示すように、本発明に係る販売支援システム２００は、ネットワーク手段ＮＷを用いて情報端末（ノートパソコンＰＣまたはスマートフォンＳＰ）と帽子の試着システム（参照先サーバＳＶ）とを有線及び／又は無線で接続し、帽子の試着システム（ＳＶ）を用いて情報端末（ＰＣまたはＳＰ）からの入力情報を受信し、受信した入力情報に基づいて出力情報（試着画像）を生成し、生成した出力情報（試着画像）を情報端末（ノートパソコンＰＣまたはスマートフォンＳＰ）に送信する。
【００５６】
以上のとおり、本発明に係る販売支援システム２００によれば、前述の帽子の試着システム１００と同様の効果を得ることができる。また、本発明に係る販売支援システム２００によれば、試着させる人に対応した試着画像を用いて、販売を支援することができる。
【００５７】
（５．販売支援システムの動作）
図７を用いて、販売支援システム２００（図１）が販売を支援する動作を説明する。ここで、図７は、本発明の実施形態に係る販売支援システムの動作（販売支援方法）の例を説明するフローチャート図である。なお、図７に示す販売支援システムの動作は一例であり、本発明は図７に示す販売支援システムの動作に限定されるものではない。
【００５８】
図７に示すように、販売支援システム２００は、ステップＳ７０１において、先ず、制御手段１０（図１）を用いて、販売を支援する動作を開始する。なお、制御手段１０が販売を支援する動作を開始する方法は、実施形態に係る帽子の試着システム１００の動作（ステップＳ２０１）と同様のため、説明を省略する。その後、販売支援システム２００は、ステップＳ７０２に進む。
【００５９】
次に、ステップＳ７０２において、販売支援システム２００は、出力情報（複数の帽子、アイテムなど）を情報端末２０（図１）に出力する。その後、販売支援システム２００は、ステップＳ７０３に進む。販売支援システム２００は、例えば図８のネットショップの例に示すように、情報端末２０の表示部２２（図１）に出力情報を表示する。
【００６０】
次いで、ステップＳ７０３において、販売支援システム２００は、情報端末２０を用いて、システムの利用者（例えばネットショップの購入者）によって、情報端末２０の入力部２１で入力された入力情報（例えば図９（ａ）の試着前画像および選択した帽子に関する情報）を合成手段１４（帽子の試着システム１００）に入力される。その後、販売支援システム２００は、ステップＳ７０４に進む。ここで、入力情報とは、「システムの利用者（例えばネットショップの購入者）が購入したい帽子に関する情報」や「利用者（購入者）の頭からつま先までの規定された部位の主要サイズに関する情報」などである。
【００６１】
ステップＳ７０４において、販売支援システム２００は、帽子の試着システム１１０の動作（図２のステップＳ２０６）と同様に、試着画像を生成する。その後、販売支援システム２００は、ステップＳ７０５に進む。
【００６２】
ステップＳ７０５において、販売支援システム２００は、出力情報（試着画像など）を情報端末２０に出力する。その後、販売支援システム２００は、ステップＳ７０６に進む。ここで、出力情報は、「システムの利用者（例えばネットショップの購入者）が購入したい帽子に似合う他のファッションアイテムの提案（リコメンド）に関する情報」や「利用者（購入者）の頭からつま先までの規定された部位の主要サイズに似合うファッションアイテムの提案（リコメンド）に関する情報」などを含んでもよい。
【００６３】
ステップＳ７０６において、販売支援システム２００は、出力情報（例えば図９（ｂ）の試着画像）を情報端末２０の表示部２２で表示する。その後、販売支援システム２００は、ステップＳ７０７に進む。
【００６４】
ステップＳ７０７において、販売支援システム２００は、システムの利用者（例えばネットショップの購入者）によって、情報端末２０の入力部２１で入力された入力情報（例えば購入手続きに関する情報）を入力される。その後、販売支援システム２００は、ステップＳ７０８に進む。
【００６５】
ステップＳ７０８において、販売支援システム２００は、制御手段１０を用いて、販売を支援する動作を繰り返すか否かを判断する。制御手段１０は、例えばシステム利用者から入力された情報に基づいて、販売を支援する動作を繰り返すか否かを判断することができる。これにより、販売支援システム２００は、所望の間、販売を支援する動作を繰り返すことができる。その後、販売を支援する動作を繰り返すと判断した場合には、販売支援システム２００は、ステップＳ７０３に戻る。販売を支援する動作を終了すると判断した場合には、販売支援システム２００は、図中の「ＥＮＤ」に進み、動作を終了する。
【００６６】
以上のとおり、本発明に係る販売支援システム２００の販売支援方法によれば、前述の帽子の試着システム１００と同様の効果を得ることができる。また、本発明に係る販売支援システム２００の販売支援方法によれば、試着させる人に対応した試着画像を用いて、販売を支援することができる。また、本発明に係る販売支援システム２００の販売支援方法によれば、試着画像で帽子を試着した状態を利用者（購入者）が確認することができるので、 利用者（購入者）は満足度の高い（例えば商品選びに失敗しない）購買行動をすることができる。
【００６７】
なお、本発明に係る販売支援システム２００は、帽子のプロフェッショナルにアドバイスを求めるというオプション（チャット形式、メール形式）を備えるものであってもよい。また、本発明に係る販売支援システム２００は、購入者（システムの利用者）の好みのアイテムの全てを購入できるものであってもよい。また、本発明に係る販売支援システム２００は、購入されたアイテムのコーディネートを購入者の声として、他のネットワーク（ＳＮＳなど）に提供するものであってもよい。
【００６８】
（６．販売支援方法のプログラム及び記録媒体）
本発明に係る販売支援方法のプログラムＰｒ２は、帽子を試着した状態を模擬する帽子の試着シミュレーション方法であって、記憶手段を用いて、複数の前記帽子の形状に関する情報を記憶する記憶ステップと、撮像手段を用いて、前記帽子を試着する人を撮像して、前記試着する人に関する画像を生成する撮像ステップと、表示手段を用いて、前記記憶ステップで記憶した複数の前記帽子を表示する表示ステップと、合成手段を用いて、前記表示ステップで表示した複数の前記帽子から、前記試着する人が選択した一の帽子を用いて、前記撮像ステップで生成した前記画像に前記一の帽子を重ねた試着画像を生成する合成ステップとを含み、前記合成ステップは、前記記憶ステップで記憶した前記形状に関する情報に基づいて、前記試着画像を生成し、前記表示ステップは、前記合成ステップで生成した前記試着画像を表示する、ことを特徴とする帽子の試着シミュレーション方法を用いて、有線及び／又は無線で接続された情報端末を用いて情報の入出力を実施する販売支援ステップとを含む販売を支援する販売支援方法であって、前記情報端末は、情報を入力する入力部と情報を表示する表示部とを備え、前記販売支援ステップは、前記入力部を用いて入力された入力情報を前記合成手段に出力し、前記合成手段からの出力情報であって少なくとも前記試着画像を前記表示部で表示する、ことを特徴とする販売支援方法を実行する。なお、帽子の試着シミュレーション方法は、判断手段を用いて、前記撮像ステップで生成した前記画像に基づいて、前記試着する人の頭部の特徴を判断する判断ステップを更に含み、前記判断ステップは、前記頭部の特徴に基づいて前記試着する人を分類し、分類した内容を用いて前記記憶ステップで記憶した複数の前記帽子から推薦する帽子を選択し、前記合成ステップは、前記判断ステップが選択した前記推薦する帽子を用いて、前記試着画像を生成する、ことを特徴とする帽子の試着シミュレーション方法であってもよい。また、前記記憶ステップは、試着するアイテムに関する情報を更に記憶し、前記合成ステップは、前記アイテムに関する情報を用いて、試着した状態を模擬した第２の試着画像を生成する、ことを特徴とする帽子の試着シミュレーション方法であってもよい。
【００６９】
上記のプログラムＰｒ２によれば、本発明に係る販売支援システム２００（前述）と同等の効果が得られる。
【００７０】
また、本発明は、プログラムＰｒ２を記録したコンピュータによって読み取り可能な記録媒体Ｍｄ２としてもよい。記録媒体Ｍｄ２には、フレキシブルディスク、ＣＤ−ＲＯＭ、ＤＶＤ、及び、メモリーカード等、コンピュータ読み取り可能な媒体を利用することができる。更に、本発明は、プログラムＰｒ２をインターネット等のネットワークを介して送信することが可能な伝送可能媒体であってもよい。
【００７１】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００７２】
１００  ：  帽子の試着システム
２００  ：  販売支援システム
１０  ：  制御手段
１１  ：  記憶手段
１２  ：  撮像手段
１３  ：  表示手段
１４  ：  合成手段
１５  ：  判断手段
２０  ：  情報端末
２１  ：  入力部
２２  ：  表示部
Ｐｒ１，Ｐｒ２  ：  プログラム
Ｍｄ１，Ｍｄ２  ：  記録媒体
【図１】
2017117122.tif 000003
【図２】
2017117122.tif 000004
【図３】
2017117122.tif 000005
【図４】
2017117122.tif 000006
【図５】
2017117122.tif 000007
【図６】
2017117122.tif 000008
【図７】
2017117122.tif 000009
【図８】
2017117122.tif 000010
【図９】
2017117122.tif 000011